(57)【要約】【課題】スペクトルセンシングに際して、受信した無線信号に対して複数の異なる周波数帯域の信号検出を同時にできると共に、検出対象の周波数帯域の変動に対応する。【解決手段】ＲＦフィルタ群３０５は、通過帯域が互いに異なる複数のＲＦフィルタを有する。検出ブロック群３１０は、互いに異なる周波数帯域の信号の強度を夫々検出するための複数の検出ブロックを有する。制御部１１２は、第１のスイッチ３０１と第２のスイッチ３０６を制御して、ＲＦフィルタ群３０５内のフィルタと、第１のスイッチ３０１内の検出ブロックとの接続を切り替える。【選択図】図１
2015095842.tif 000002
【特許請求の範囲】
【請求項１】
受信した無線信号に対してスペクトルセンシングを行う無線通信装置であって、
通過帯域が互いに異なる複数のＲＦ（Ｒａｄｉｏ  Ｆｒｅｑｕｅｎｃｙ）フィルタを有するＲＦフィルタ群と、
互いに異なる周波数帯域の信号の強度を夫々検出するための複数の検出ブロックを有する検出ブロック群と、
前記無線信号が入力され、前記複数のＲＦフィルタのうちの選択されたＲＦフィルタに前記無線信号を出力する第１のスイッチと、
前記ＲＦフィルタ群と前記検出ブロック群の間に設けられ、前記複数のＲＦフィルタのうちの選択されたＲＦフィルタと、前記複数の検出ブロックのうちの選択された検出ブロックとを接続するための第２のスイッチと、
前記第１のスイッチ、前記第２のスイッチ、前記検出ブロック群とを制御する制御部とを備え、
前記制御部は、
前記第１のスイッチに対して、出力先の前記ＲＦフィルタの選択を制御し、
前記第２のスイッチに対して、接続される前記ＲＦフィルタと前記検出ブロックの選択と、選択された前記ＲＦフィルタと前記検出ブロックを接続する際の対応関係とを制御し、
前記検出ブロック群に対して、夫々の前記検出ブロックが検出する周波数帯域の制御を行う、
無線通信装置。
【請求項２】
前記第１のスイッチの前に設けられた増幅器をさらに有する、
請求項１に記載の無線通信装置。
【請求項３】
夫々の前記ＲＦフィルタは、前記第１のスイッチとの間に、および／または、前記第２のスイッチとの間に、増幅器が設けられている、
請求項１に記載の無線通信装置。
【請求項４】
夫々の前記検出ブロックは、前記第２のスイッチからの信号が入力される増幅器を有する、
請求項１に記載の無線通信装置。
【請求項５】
夫々の前記検出ブロックは、
ミキサと局部発振器からなるダウンコンバータと、
前記ダウンコンバータの出力信号の強度を検出する信号検出部とを有する、
請求項１から４のいずれか１項に記載の無線通信装置。
【請求項６】
夫々の前記検出ブロックは、
前記信号検出部と並列にして前記ダウンコンバータと接続された復調部をさらに備える、
請求項５に記載の無線通信装置。
【請求項７】
夫々の前記検出ブロックは、
高速・低分化能のＣｏａｒｓｅセンシングと低速・高分解能のＦｉｎｅセンシングを行い、
Ｃｏａｒｓｅセンシングを行った後に、所定の条件を満たす場合においてＦｉｎｅセンシングを行う、
請求項１から５のいずれか１項に記載の無線通信装置。
【請求項８】
前記所定の条件は、動作中の前記検出ブロックのうちに、Ｃｏａｒｓｅセンシングを実施中の検出ブロックが２つ以上である条件を含む、
請求項７に記載の無線通信装置。
【発明の詳細な説明】
【技術分野】
【０００１】
本発明は、受信した無線信号に対して、異なる複数の帯域についての同時検出が可能なスペクトルセンシング技術に関する。
【背景技術】
【０００２】
近年、無線通信の普及に伴い周波数のひっ迫が問題となってきている。周波数のひっ迫問題に対応するため、無線規格により静的に割り当てられる周波数を動的に管理する周波数マネジメントが提案されている。例えば、テレビ放送において時間的／空間的に利用されていない帯域を他の無線システムが二次的に利用するコグニティブ無線が提案されている。既存の無線通信に影響を与えることなく周波数を動的に用いるためには、地域毎及び時間毎の空き周波数帯域などの電波環境を正確に把握する必要がある。電波環境の把握の例としては違法電波を取り締まる電波監視システムがあげられる。
【０００３】
リアルタイムな空き周波数検出を含む電波環境の把握には、スペクトルセンシング技術が用いられる。図８を参照して、従来知られているスペクトルセンシング装置の例を説明する。
【０００４】
図８に示すように、該スペクトルセンシング装置９００は、無線信号を受信するアンテナ９０１、受信した無線信号に対して所望帯域のみを通過させるＲＦフィルタ（ＲＦ：Ｒａｄｉｏ  Ｆｒｅｑｕｅｎｃｙ）９０２、ＲＦフィルタ９０２の出力をを増幅する低雑音増幅器（Ｌｏｗ  ｎｏｉｓｅ  ａｍｐｌｉｆｉｅｒ：ＬＮＡ）９０３、低雑音増幅器９０３の出力をダウンコンバートするミキサ９０４、ミキサ９０４の出力のレベルを検出することにより信号の有無を検出する信号検出部９０５、ミキサ９０４にローカル信号を供する局部発振器９０６を備える。
【０００５】
スペクトルセンシングについて、種々の視点からの技術が提案されている。例えば、特許文献１に開示された電波監視装置は、複数の通信波の同時検出をするために、ダウンコンバータと信号検出部を備える系列を並列に複数設け、夫々の系列で異なる帯域の検出を行う。
【先行技術文献】
【特許文献】
【０００６】
【特許文献１】特開２００３−１３４０５９号公報
【発明の概要】
【発明が解決しようとする課題】
【０００７】
特許文献１には、上述した電波監視装置に対してＲＦフィルタの記述が無いが、スペクトルセンシング装置には、通常、ＲＦフィルタが必要である。ＲＦフィルタを備え、複数の異なる帯域の信号を同時に検出できるスペクトルセンシング装置は、例えば図９に示すように構成することができる。なお、図９において、図８に示すスペクトルセンシング装置９００の機能ブロックと同様のものについては、同様の符号を付与している。
【０００８】
図９に示すスペクトルセンシング装置１０００は、２つの検出ブロックを備える。一方の検出ブロック１０１０は、ミキサ９０４と、信号検出部９０５と、局部発振器９０６とを有し、これらの機能ブロックは、図８に示すスペクトルセンシング装置９００にも備えられている。他方の検出ブロック１０２０は、スペクトルセンシング装置９００に対して追加したものであり、ミキサ１０２４と、信号検出部１０２５と、局部発振器１０２６とを有する。
【０００９】
低雑音増幅器９０３の出力は、ミキサ９０４とミキサ１０２４の両方に入力される。局部発振器９０６と局部発振器１０２６は、周波数の異なるローカル信号をミキサ９０４とミキサ１０２４に夫々供する。
【００１０】
図９に示すスペクトルセンシング装置１０００によれば、互いに異なる複数（図９に示す例では２つ）の周波数帯域の信号の同時検出が可能である。
【００１１】
スペクトルセンシングでは、検出対象の周波数帯域が動的に変化する場合があり、このような場合にも対応できることが要求されている。図９に示すスペクトルセンシング装置１０００では、このような要求を満たすことができない。
【００１２】
本発明は、上記事情を鑑みてなされたものであり、受信した無線信号に対して複数の異なる周波数帯域の信号検出を同時にできると共に、検出対象の周波数帯域の変動に対応可能なスペクトルセンシング技術を提供する。
【課題を解決するための手段】
【００１３】
本発明の１つの態様は、受信した無線信号に対してスペクトルセンシングを行う無線通信装置である。該無線通信装置は、第１のスイッチと、ＲＦフィルタ群と、第２のスイッチと、検出ブロック群と、制御部を備える。
【００１４】
前記ＲＦフィルタ群は、通過帯域が互いに異なる複数のＲＦフィルタを有する。前記検出ブロック群は、異なる周波数帯域の信号の強度を夫々検出するための複数の検出ブロックを有する。
【００１５】
前記第１のスイッチは、前記無線信号が入力され、前記ＲＦフィルタ群に含まれる前記複数のＲＦフィルタのうちの選択されたＲＦフィルタに前記無線信号を出力する。
【００１６】
前記第２のスイッチは、前記ＲＦフィルタ群と前記検出ブロック群の間に設けられ、前記複数のＲＦフィルタのうちの選択されたＲＦフィルタと、前記複数の検出ブロックのうちの選択された検出ブロックとを接続する。
【００１７】
前記制御部は、前記第１のスイッチ、前記第２のスイッチ、前記検出ブロック群とを制御するものである。該制御部は、前記第１のスイッチに対して、出力先の前記ＲＦフィルタの選択を制御し、前記第２のスイッチに対して、接続される前記ＲＦフィルタと前記検出ブロックの選択と、選択された前記ＲＦフィルタと前記検出ブロックを接続する際の対応関係とを制御する。また、該制御部は、前記検出ブロック群に対して、夫々の前記検出ブロックが検出する周波数帯域の制御を行う。
【００１８】
なお、上記態様の無線通信装置をシステムや方法に置き換えて表現したもの等も、本発明の態様としては有効である。
【発明の効果】
【００１９】
本発明にかかる技術によれば、スペクトルセンシングに際して、受信した無線信号に対して複数の異なる周波数帯域の信号検出を同時にできると共に、検出対象の周波数帯域の変動に対応可能である。
【図面の簡単な説明】
【００２０】
【図１】第１の実施の形態にかかる無線通信装置を示す図である。
【図２】図１に示す無線通信装置における検出ブロック内の信号検出部の構成例を示す図である。
【図３】図１に示す無線通信装置における信号検出部の動作例を示すフローチャートである（その１）。
【図４】図１に示す無線通信装置における信号検出部の動作例を示すフローチャートである（その２）。
【図５】第２の実施の形態にかかる無線通信装置を示す図である。
【図６】第３の実施の形態にかかる無線通信装置を示す図である。
【図７】第４の実施の形態にかかる無線通信装置を示す図である。
【図８】従来のスペクトルセンシング装置の例を示す図である。
【図９】複数の帯域の信号を同時に検出可能なスペクトルセンシング装置の例を示す図である。
【発明を実施するための形態】
【００２１】
以下、図面を参照して本発明の実施の形態について説明する。説明の明確化のため、以下の記載及び図面は、適宜、省略、及び簡略化がなされている。また、各図面において、同一の要素には同一の符号が付されており、必要に応じて重複説明は省略されている。
【００２２】
＜第１の実施の形態＞
図１は、第１の実施の形態にかかる無線通信装置３００を示す。無線通信装置３００は、スペクトルセンシングを行うものであり、アンテナ１０１、低雑音増幅器１０３、第１のスイッチ３０１、ＲＦフィルタ群３０５、第２のスイッチ３０６、検出ブロック群３１０、制御部１１２を備える。
【００２３】
ＲＦフィルタ群３０５は、ｎ個（ｎ：２以上の整数）のＲＦフィルタ（第１のＲＦフィルタ３０２、第２のＲＦフィルタ３０３、・・・、第ｎのＲＦフィルタ３０４）を有し、これらのＲＦフィルタは、通過帯域が互いに異なる。
【００２４】
検出ブロック群３１０は、複数の検出ブロックを有する。図１において、検出ブロック群３１０内の検出ブロックとして、２つの検出ブロック（第１の検出ブロック１０７と第２の検出ブロック１１１）を示しているが、検出ブロックの数が２以上の任意の数とすることができる。また、これらの検出ブロックは、同時に動作することができるが、必ずしも同時に動作させる必要が無い。
【００２５】
低雑音増幅器１０３は、アンテナ１０１により受信した無線信号を増幅して第１のスイッチ３０１に出力する。
【００２６】
第１のスイッチ３０１は、第１のスイッチ３０１と第２のスイッチ３０６の間に設けられており、低雑音増幅器１０３に接続される１つの入力端子と、ＲＦフィルタ群３０５内の各ＲＦフィルタに夫々接続されたｎ個の出力端子を有し、低雑音増幅器１０３からの無線信号を、ＲＦフィルタ群３０５内の選択されたＲＦフィルタに夫々出力する。第１のスイッチ３０１の出力先のＲＦフィルタの選択は、制御部１１２により制御される。
【００２７】
第２のスイッチ３０６は、ＲＦフィルタ群３０５と検出ブロック群３１０の間に設けられており、ＲＦフィルタ群３０５内の各ＲＦフィルタに夫々接続されるｎ個の入力端子と、検出ブロック群３１０内の各検出ブロックと夫々接続される複数個（ここの例では、検出ブロックの数が２であるため、２個）の出力端子を有し、ＲＦフィルタ群３０５内の選択されたＲＦフィルタと、検出ブロック群３１０の選択された検出ブロックとを接続する。第２のスイッチ３０６の入力元のＲＦフィルタの選択と、検出ブロック群３１０内の選択された検出ブロックの選択と、選択されたＲＦフィルタと検出ブロック間の対応関係は、制御部１１２により制御される。
【００２８】
第１の検出ブロック１０７は、第１のミキサ１０４、第１の信号検出部１０５、第１の局部発振器１０６を備える。
【００２９】
第１のミキサ１０４は、第２のスイッチ３０６からの信号と、第１の局部発振器１０６からのローカル信号とをミックスして第１の信号検出部１０５に出力する。すなわち、第１のミキサ１０４と第１の局部発振器１０６は、ダウンコンバータを構成する。
【００３０】
第１の信号検出部１０５は、第１のミキサ１０４からの信号の有無を検出するものである。例えば、第１のミキサ１０４からの信号の強度が所定の閾値以下であれば、信号無しと判定し、第１のミキサ１０４からの信号の強度が該閾値より大きければ、信号有りと判定する。
【００３１】
従って、第１のミキサ１０４と接続されるＲＦフィルタと、第１の局部発振器１０６からのローカル信号の周波数が決まれば、第１の検出ブロック１０７の検出対象の周波数帯域が決まる。第１の局部発振器１０６が生成するローカル信号の周波数も、制御部１１２により制御される。
【００３２】
第２の検出ブロック１１１は、第１の検出ブロック１０７と同様の構成であり、詳細な説明を省略する。
【００３３】
制御部１１２は、第１のスイッチ３０１、第２のスイッチ３０６、検出ブロック群３１０を制御する。図１及び以降の各図において、点線により制御信号を示す。
【００３４】
制御部１１２は、第１のスイッチ３０１を制御して、ＲＦフィルタ群３０５内の選択されたＲＦフィルタに、低雑音増幅器１０３からの無線信号を出力する。本実施の形態において、検出ブロック群３１０内の検出ブロックの数が２であるため、第１のスイッチ３０１の出力先のＲＦフィルタは、２つまで選択可能である。
【００３５】
また、制御部１１２は、第１のスイッチ３０１の出力先として選択されたＲＦフィルタのみが、検出ブロック群３１０内のいずれかの検出ブロックと接続されるように、第２のスイッチ３０６を制御する。
【００３６】
第１のスイッチ３０１に対して１つのＲＦフィルタのみが選択された場合に、制御部１１２は、該ＲＦフィルタからの信号を、第１の検出ブロック１０７と第２の検出ブロック１１１の両方に出力するように第２のスイッチ３０６を制御する。
【００３７】
この場合、制御部１１２は、さらに、第１の局部発振器１０６と第１の信号検出部１０５、及び第２の局部発振器１１０と第２の信号検出部１０９を制御して、選択された該１つのＲＦフィルタの通過帯域に合致する周波数帯域内の異なる周波数の信号の有無を夫々検出することができる。
【００３８】
また、第１のスイッチ３０１に対して２つのＲＦフィルタが選択された場合、制御部１１２は、該２つのＲＦフィルタからの信号を第１の検出ブロック１０７と第２の検出ブロック１１１に夫々出力するように第２のスイッチ３０６を制御する。
【００３９】
この場合、制御部１１２は、さらに、、第１の局部発振器１０６と第１の信号検出部１０５、及び第２の局部発振器１１０と第２の信号検出部１０９を制御して、選択された該２つのＲＦフィルタの通過帯域に夫々合致する周波数帯域の信号の有無を検出することができる。
【００４０】
このように、本実施の形態の無線通信装置３００によれば、無線信号に対して複数の異なる周波数帯域の信号検出を同時にできる。また、第１のスイッチ３０１と第２のスイッチ３０６により、無線信号が入力されるＲＦフィルタの選択と、選択されたＲＦフィルタの出力先の検出ブロックの選択とを調整可能であるため、検出対象の周波数帯域が変っても対応可能である。
【００４１】
さらに、通過帯域の異なる複数のＲＦフィルタを備えることにより、単一のＲＦフィルタではカバーできない広帯域の信号を同時に複数検出することが可能になる。
【００４２】
ここで、図２を参照して、第１の信号検出部１０５と第２の信号検出部１０９の具体的な構成例を説明する。なお、この２つの検出部の構成が同様であるため、第１の信号検出部１０５についてのみ説明する。
【００４３】
図２の例に示すように、第１の信号検出部１０５は、可変フィルタ２０１、ＩＦ増幅器２０２、ＡＤ変換器２０３、ＦＦＴ２０４を備える。
【００４４】
可変フィルタ２０１は、通過帯域が制御部１１２の制御に応じて可変であり、第１のミキサ１０４と第１の局部発振器１０６によりダウンコンバートされた信号から通過帯域の信号のみを抽出してＩＦ増幅器２０２に出力する。
【００４５】
ＩＦ増幅器２０２は、可変フィルタ２０１からの信号を増幅してＡＤ変換器２０３に出力する。ＡＤ変換器２０３は、ＩＦ増幅器２０２により増幅された信号をデジタル信号に変換してＦＦＴ２０４に出力し、ＦＦＴ２０４は、ＡＤ変換器２０３の出力を周波数成分ごとの強度に分解し、これらの強度を検出することにより、信号の有無を検出する。
【００４６】
図２に示すような構成の検出ブロックは、可変フィルタ、ＩＦ増幅器、Ａ／Ｄ変換器、ＦＦＴは、制御部１１２により夫々独立に制御されるため、各検出ブロック間で異なる帯域幅や周波数分解能を選択することができる。
【００４７】
さらに、複数の検出ブロックの局部発振器の中心周波数を夫々異なるものにすることによって、同じ帯域内の複数の周波数の信号を同時に検出することができる。
【００４８】
なお、「ＩＦ増幅器」については、ＲＦ帯域の低雑音増幅器１０３と周波数帯が異なることを意味するためＩＦと表記しているだけであり、周波数変換方式をシングルコンバージョン方式やダイレクトコンバージョン方式などの特定の方式に限定する意味合いを持たないことを理解されたい。
【００４９】
次いで、図３のフローチャートを参照して、Ｃｏａｒｓｅセンシング（「高速センシング」ともいう）とＦｉｎｅセンシングの機能を備える場合の信号検出部（第１の信号検出部１０５または第２の信号検出部１０９）の動作を説明する。なお、ＣｏａｒｓｅセンシングとＦｉｎｅセンシングの詳細に関しては本発明の主たる内容ではないため省略する。
【００５０】
図３に示す例では、電波監視のように信号を詳細に検出することを目的とした際の動作を示している。まず初期設定Ｓ４０２においてセンシングを開始する周波数を設定する。開始周波数は任意に割り当ててもいいが、ＲＦフィルタ群３０５から算出できる全周波数帯域に対して、信号検出部の個数に応じて均等に配置されることが望ましい。いずれにせよ、それぞれの信号検出部に割り当てられる開始周波数は異なっている。次にセンシングループＳ４０３−Ｓ４０９でセンシングを実行する。センシングループＳ４０３−Ｓ４０９はセンシングの実行と次にセンシングを行う周波数の選択が含まれたループになっている。最初のセンシングはＣｏａｒｓｅセンシングＳ４０４を用いる。仮にＣｏａｒｓｅセンシングで信号を検出しなかった場合、Ｓ４０８にて検出周波数を変更してセンシングを継続する。もしＣｏａｒｓｅセンシングで信号を検出したときは、Ｆｉｎｅセンシングに切り替えて詳細に帯域を検出する。Ｆｉｎｅセンシング終了（Ｓ４０７）後には周波数を変更（Ｓ４０８）したのち、Ｃｏａｒｓｅセンシングを再開する。なお変更する周波数はすべての信号検出部において、最後にＣｏａｒｓｅセンシングを行った時刻が最も古い周波数が望ましい。またセンシング開始直後のようにセンシング未実施の周波数帯域が複数ある際は、ＲＦフィルタ群３０５の変更を最小にするために、未実施の中から最も近い周波数帯域を選択することが望ましい。ただし周波数の変更に関しては開始周波数の設定と同様に、ユーザが任意の割り当てを行ってもいい。たとえば、信号検出部ごとに異なる周波数範囲を割り当ててもいい。この場合上記で推奨したＳ４０８で変更する周波数は、それぞれの信号検出部で最後にＣｏａｒｓｅセンシングを行った時刻が最も古い周波数になり、各信号検出部が完全に独立した動作を行う。
【００５１】
図３に示す動作は電波監視のように信号を検出することを目的とした動作である。コグニティブ無線のように、空き周波数の検出を目的とした場合、図３の信号検出Ｓ４０５の分岐条件ｙｅｓとｎｏを逆にすればいい。その場合、信号がないことを確認した場合にＦｉｎｅセンシングに切り替えるため、空き帯域を高精度に検出できる。
【００５２】
なおセンシングループＳ４０３−Ｓ４０９の終了条件はユーザが設定できるものとする。たとえばコグニティブ無線ではＦｉｎｅセンシングで信号が無い帯域を検出したとき、つまり利用可能な空き帯域を発見したときなどが挙げられる。また電波監視などでは常時監視を行うことを目的とするため、ループを終了しないことが考えられるが、いずれにせよ本発明が終了条件によって限定されることはない。
【００５３】
以上がＣｏａｒｓｅセンシングとＦｉｎｅセンシングを備える際の動作の説明になるが、上記の動作では場合によってはすべての信号検出部がＦｉｎｅセンシングを行う時間が存在する可能性がある。Ｆｉｎｅセンシングで所望帯域内を詳細に検出する場合、雑音や干渉などによる瞬間的な強度の増加による誤検出を避けるため、同一帯域において複数回検出を行い、平均をとることがある。一般的にＣｏａｒｓｅセンシングよりＦｉｎｅセンシングのほうが所要時間は多いが、前述の理由によりさらにセンシング時間が増加する。Ｆｉｎｅセンシング中の信号検出部はＣｏａｒｓｅセンシングを行うことはできないため、仮にすべての信号検出部が長時間にわたってＦｉｎｅセンシングを実行すると、その間Ｃｏａｒｓｅセンシングを用いて他の帯域の信号検出を行うことはできない。
【００５４】
そこで複数の信号検出部のうち、少なくとも１つはＣｏａｒｓｅセンシングを継続して行う場合の動作について図４を用いて説明する。Ｓ５０４のＣｏａｒｓｅセンシング実行までは図３と同じなので詳細は省略する。Ｓ５０５にて検出した場合にＣｏａｒｓｅ実行中の信号検出部の数に応じて動作を変える。他の検出部でＣｏａｒｓｅ実行中のものがある場合、Ｆｉｎｅセンシングに切り替えても最低１つの信号検出部はＣｏａｒｓｅを実行できる。仮に他のすべての信号検出部がＦｉｎｅセンシングを行っている場合、Ｓ５０５で信号を検出した検出部はＣｏａｒｓｅセンシングを継続する必要があるためＦｉｎｅセンシングに移行しない。この場合、信号を検出した周波数情報を保存しておくことで、他の信号検出部が現在のＦｉｎｅセンシング終了後に保存しておいた周波数帯域を調べることができる（Ｓ５０９、Ｓ５１０、Ｓ５１１）。Ｆｉｎｅセンシングを行っている検出部は保存された全周波数のセンシング終了後にＣｏａｒｓｅセンシングに戻る（Ｓ５１０、Ｓ５１２）。Ｓ５０６の最低数を増やすことでＣｏａｒｓｅセンシングを行う信号検出部の数を増やすことができる。なお周波数情報を保存するメモリ等については本発明の主たる要素でないため詳細は省略する。
【００５５】
図４に示す動作も、図３と同様に信号検出を目的とした場合の動作であり、コグニティブ無線向けではＳ５０５の分岐条件が反転する。
【００５６】
＜第２の実施の形態＞
図５は、第２の実施の形態にかかる無線通信装置６００を示す。無線通信装置６００は、低雑音増幅器の帯域負荷軽減を目的とするものである。無線通信装置６００について、無線通信装置３００と異なる点のみを説明する。
【００５７】
前述したように、無線通信装置３００では、第１のスイッチ３０１の前に低雑音増幅器１０３が設けられている。
【００５８】
対して、無線通信装置６００では、低雑音増幅器１０３の代わりに、ＲＦフィルタ群３０５内において、夫々のＲＦフィルタは、第２のスイッチ３０６との間に低雑音増幅器（第１の低雑音増幅器６０１、第２の低雑音増幅器６０２、・・・、第ｎの低雑音増幅器６０３）が設けられている。
【００５９】
各ＲＦフィルタはそれぞれ異なる通過帯域を有するため、ＲＦフィルタ群３０５の全帯域を増幅する必要はなく、各低雑音増幅器は接続されるＲＦフィルタの通過帯域のみを増幅すればいい。そのため、で狭帯域の低雑音増幅器を用いて広帯域の信号検出を行うことが可能になる。
【００６０】
なお、図５では各ＲＦフィルタの後段に低雑音増幅器を配置しているが、ＲＦフィルタの前段あるいは両方に配置してもいい。
【００６１】
＜第３の実施の形態＞
図６は、第３の実施の形態にかかる無線通信装置７００を示す。無線通信装置７００は、夫々の検出ブロック内のミキサ間の干渉を抑え、アイソレーションを高めることを目的としている。
【００６２】
図示のように、無線通信装置７００では、各検出ブロック（第１の検出ブロック７０７、第２の検出ブロック７１１）内に、ミキサの前に低雑音増幅器（第１の低雑音増幅器７０１または第２の低雑音増幅器７０２）が設けられている。
【００６３】
無線信号を第１の検出ブロック７０７と第２の検出ブロック７１１にに分岐した場合、信号強度が低下する。またＲＦフィルタ群３０５から共通のＲＦフィルタを選択した場合、第１の検出ブロック７０７と第２の検出ブロック７１１間のアイソレーションが低下するため、第１の検出ブロック７０７と第２の検出ブロック７１１間で干渉が生じる恐れがある。特にミキサ１０４及びミキサ１０８を受動ミキサにした場合、後段の回路も干渉を受けやすくなる。
【００６４】
そこで、図６に示すようにミキサ１０４とミキサ１０８の前段に、低雑音増幅器７０１と低雑音増幅器７０２を夫々配置する。これにより２系列に分岐したことで低下した信号強度を増幅できるとともに、２系列間のアイソレーションを高くすることができる。さらに、後段の回路に影響を及ぼすこともなくなる。
【００６５】
なお、無線通信装置７００に対して、図１の無線通信装置３００のように、第１のスイッチ３０１の前に低雑音増幅器をさらに設けるようにしてもいい。
【００６６】
＜第４の実施の形態＞
図７は、第４の実施の形態にかかる無線通信装置８００を示す。無線通信装置８００は、センシングと並行して復調を行うことを目的としている。
【００６７】
図示のように、無線通信装置８００において、検出ブロック群８１０の２つの検出ブロック（第１の検出ブロック８０７、第２の検出ブロック８１１）では、信号検出部と並列して設けられた復調部がさらに設けられている。
【００６８】
このような構成により、センシングを行わないときに通常の受信機として使用することができる。また、２系列同時に受信することでマルチバンドの同時受信にも対応することができる。また復調部が信号を復調できるということは当該帯域に既知信号が存在することを示しているため、復調部をＦｉｎｅセンシングの一部と考えることもできる。この場合Ｆｉｎｅセンシングの中に復調動作を入れて、既知信号の有無を検出してもいい。
【００６９】
以上、実施の形態をもとに本発明を説明した。実施の形態は例示であり、本発明の主旨から逸脱しない限り、上述した各実施の形態に対してさまざまな変更、増減、組合せを行ってもよい。これらの変更、増減、組合せが行われた変形例も本発明の範囲にあることは、当業者に理解されるところである。
【符号の説明】
【００７０】
１０１  アンテナ
１０３  低雑音増幅器
１０４  第１のミキサ
１０５  第１の信号検出部
１０６  第１の局部発振器
１０７  第１の検出ブロック
１０８  第２のミキサ
１０９  第２の信号検出部
１１０  第２の局部発振器
１１１  第２の検出ブロック
１１２  制御部
２０１  可変フィルタ
２０２  ＩＦ増幅器
２０３  ＡＤ変換器
２０４  ＦＦＴ
３００  無線通信装置
３０１  第１のスイッチ
３０２  第１のＲＦフィルタ
３０３  第２のＲＦフィルタ
３０４  第ｎのＲＦフィルタ
３０５  ＲＦフィルタ群
３０６  第２のスイッチ
３１０  検出ブロック群
６００  無線通信装置
６０１  第１の低雑音増幅器
６０２  第２の低雑音増幅器
６０３  第ｎの低雑音増幅器
７００  無線通信装置
７０１  第１の低雑音増幅器
７０２  第２の低雑音増幅器
７０７  第１の検出ブロック
７１０  検出ブロック群
７１１  第２の検出ブロック
８００  無線通信装置
８０１  第１の復調部
８０２  第２の復調部
８０７  第１の検出ブロック
８１０  検出ブロック群
８１１  第２の検出ブロック
９００  スペクトルセンシング装置
９０１  アンテナ
９０２  ＲＦフィルタ
９０３  低雑音増幅器
９０４  ミキサ
９０５  信号検出部
９０６  局部発振器
１０００  スペクトルセンシング装置
１０１０  検出ブロック
１０２０  検出ブロック
１０２４  ミキサ
１０２５  信号検出部
１０２６  局部発振器
【図１】
2015095842.tif 000003
【図２】
2015095842.tif 000004
【図３】
2015095842.tif 000005
【図４】
2015095842.tif 000006
【図５】
2015095842.tif 000007
【図６】
2015095842.tif 000008
【図７】
2015095842.tif 000009
【図８】
2015095842.tif 000010
【図９】
2015095842.tif 000011